(57)【要約】【課題】患者の顔面に対する快適な感触を接触領域に生じさせることができて、良好な装着感を患者に与えることができる、鼻孔カニューラを提供する。【解決手段】外表面のうちの顔面との接触領域を少なくとも含む第一の域の表面粗さが外表面のうちの第一の領域以外の第二の領域の表面粗さよりも粗い。このため、顔面との接触領域であってもこの接触領域の表面における凹凸のうちの凹部には、装着状態で顔面と実際には接触しない部分が存在している。従って、顔面が汗をかいていても且つ顔面との接触領域であっても、装着状態で顔面と実際には接触しない部分ではべたべたした感触が生じない。【選択図】図１
0003133934.tif 000002
【実用新案登録請求の範囲】
【請求項１】
外表面のうちの顔面との接触領域を少なくとも含む第一の領域の表面粗さが前記外表面のうちの前記第一の領域以外の第二の領域の表面粗さよりも粗い鼻孔カニューラ。
【請求項２】
前記第一の領域の表面粗さが０．８ａよりも粗い請求項１に記載の鼻孔カニューラ。
【請求項３】
前記第一の領域の表面粗さが６．３ａ〜１２．５ａである請求項２に記載の鼻孔カニューラ。
【考案の詳細な説明】
【技術分野】
【０００１】
本考案は、呼吸療法のための医療用具であって、患者の上顎に位置されて円筒状の一対の突出部が患者の鼻孔に挿入されている状態である、患者の顔面への装着状態で使用される、鼻孔カニューラに関するものである。
【背景技術】
【０００２】
図２、３は従来の鼻孔カニューラの一形態を示しており、図４は使用状態にあるこの鼻孔カニューラを示している（例えば、特許文献１）。この鼻孔カニューラ１１には、長手方向の中央部１２と、この中央部１２の両側における一対の端部１３と、中央部１２における一対の突出部１４とが設けられている。中央部１２は偏平な角筒状であり、端部１３及び突出部１４は円筒状である。一対の突出部１４は、偏平な角筒状である中央部１２のうちの天面部分からこの天面部分に対して垂直に突出している。端部１３の内部と中央部１２の内部とは互いに連通しており、中央部１２の内部と突出部１４の内部とも互いに連通している。
【特許文献１】実用新案登録第３１０７７８７号公報
【０００３】
図２に示されている様に、一対の突出部１４同士の間の部分で、突出部１４の軸心に対して垂直な平面内で、中央部１２が鈍角に屈曲しており、この屈曲のために、突出部１４の軸心方向から見て、鼻孔カニューラ１１は「へ」の字状になっている。また、中央部１２のうちで上述の屈曲部と端部１３との間の部分とこの部分における突出部１４の軸心とを含む平面内で、中央部１２に対して端部１３が屈曲している。鼻孔カニューラ１１は、可塑剤を添加したポリ塩化ビニルやスチレン系エラストマー等の軟質の合成樹脂で製造されている。この鼻孔カニューラ１１の外表面及び内表面の表面粗さは０．８ａ程度つまり中心線平均粗さで表して０．８μｍ程度であり、この表面粗さを有する外表面及び内表面の全体が実質的に鏡面である。
【０００４】
図４に示されている様に、鼻孔カニューラ１１の一対の端部１３の各々に円筒状のチューブ１５の一方の端部が挿入及び固定され、一対のチューブ１５の他方の端部はこのチューブ１５上を摺動可能なストッパリング１６で纏められた状態で接続管１７に挿入及び固定されている。接続管１７には一本のチューブ１８の一方の端部が挿入及び固定されており、チューブ１８の他方の端部はソケット（図示せず）等を介して酸素発生装置（図示せず）等に接続される。なお、円筒状のチューブ１５は汎用品であり、この汎用品である円筒状のチューブ１５を挿入及び固定することができる様に、鼻孔カニューラ１１の一対の端部１３も上述の様に円筒状になっている。
【０００５】
例えば、低酸素症の患者が酸素療法を受けるために鼻孔カニューラ１１を使用するためには、図４に示されている様に、一対の突出部１４を患者の鼻孔に挿入して、鼻孔カニューラ１１を上顎に沿わせる。そして、一対のチューブ１５を両耳に掛け、チューブ１５上でストッパリング１６を摺動させることによってチューブ１５上におけるストッパリング１６の位置を調節する。この調節で頭部に対するチューブ１５の移動や揺動を防止することによって、顔面に対する鼻孔カニューラ１１の位置を固定する。
【０００６】
上述の様に鼻孔カニューラ１１は「へ」の字状になっているので、患者への装着時に鼻孔カニューラ１１を容易に上顎に沿わせることができる。また、上述の様に中央部１２に対して端部１３が屈曲しているので、この端部１３に挿入及び固定されているチューブ１５を容易に耳の方向へ延在させることができる。この様な装着状態で、酸素発生装置等で発生された酸素が、チューブ１８、接続管１７、チューブ１５、鼻孔カニューラ１１の端部１３及び中央部１２を介して、突出部１４から患者の鼻孔内へ供給される。
【考案の開示】
【考案が解決しようとする課題】
【０００７】
ところが、上述の様に従来の鼻孔カニューラ１１の外表面の全体が実質的に鏡面であるので、この従来の鼻孔カニューラ１１を患者に装着して患者の顔面が汗をかくと、顔面との接触領域におけるべたべたした感触を患者が受ける。このため、患者にとって鼻孔カニューラ１１の装着感が良好であるとは言い難かった。従って、本考案は、患者の顔面に対する快適な感触を接触領域に生じさせることができて、良好な装着感を患者に与えることができる、鼻孔カニューラを提供することを目的としている。
【課題を解決するための手段】
【０００８】
請求項１に係る鼻孔カニューラでは、外表面のうちの顔面との接触領域を少なくとも含む第一の領域の表面粗さが前記外表面のうちの前記第一の領域以外の第二の領域の表面粗さよりも粗い。このため、顔面との接触領域であってもこの接触領域の表面における凹凸のうちの凹部には、装着状態で顔面と実際には接触しない部分が存在している。従って、顔面が汗をかいていても且つ顔面との接触領域であっても、装着状態で顔面と実際には接触しない部分ではべたべたした感触が生じない。
【０００９】
請求項２に係る鼻孔カニューラでは、第一の領域の表面粗さが０．８ａよりも粗い。このため、第一の領域の表面粗さとして０．８ａよりも大きな適切な値を選択して、装着状態で顔面と実際には接触しない部分の全接触領域に対する比率を調節することによって、顔面に対する接触領域の感触を調節することができる。
【００１０】
請求項３に係る鼻孔カニューラでは、第一の領域の表面粗さが６．３ａ〜１２．５ａである。このため、顔面が汗をかいていても、装着状態でべたべたし過ぎず且つさらさらし過ぎずに接触領域が顔面と接触して、顔面に対する快適な感触を接触領域が有している。
【考案の効果】
【００１１】
請求項１に係る鼻孔カニューラでは、顔面が汗をかいていても且つ顔面との接触領域であっても、装着状態で顔面と実際には接触しない部分ではべたべたした感触が生じない。このため、顔面に対する快適な感触を接触領域に生じさせることができて、良好な装着感を患者に与えることができる。
【００１２】
請求項２に係る鼻孔カニューラでは、第一の領域の表面粗さとして０．８ａよりも大きな適切な値を選択して、装着状態で顔面と実際には接触しない部分の全接触領域に対する比率を調節することによって、顔面に対する接触領域の感触を調節することができる。このため、顔面に対する快適な感触を接触領域に生じさせることができて、良好な装着感を患者に与えることができる。
【００１３】
請求項３に係る鼻孔カニューラでは、顔面が汗をかいていても、装着状態でべたべたし過ぎず且つさらさらし過ぎずに接触領域が顔面と接触して、顔面に対する快適な感触を接触領域が有しているので、良好な装着感を患者に与える。
【考案を実施するための最良の形態】
【００１４】
以下、図１を参照しながら、本考案を実施するための最良の一形態を説明する。図１に示されている様に、本形態の鼻孔カニューラ１１は可塑剤を添加したポリ塩化ビニルやスチレン系エラストマーやシリコーンゴム等の軟質の合成樹脂で製造されており、外表面のうちで上述の「へ」の字の劣角側つまり顔面との対向面側の半分の領域２１が粗面加工されている。この粗面加工は、外表面及び内表面の全体が鏡面である鼻孔カニューラ１１を型成型等によって形成した後にショットブラストやエアーブラスト等を領域２１に施すことによって、行われている。
【００１５】
鼻孔カニューラ１１の外表面のうちで「へ」の字の優角側つまり顔面との対向面とは反対側の残り半分の領域２２と、鼻孔カニューラ１１の内表面の全体とは、型成型等で形成された鏡面のままである。従来の鼻孔カニューラ１１では外表面及び内表面の全体が表面粗さ０．８ａ程度の実質的な鏡面であったのに対して、本形態の鼻孔カニューラ１１では領域２１が粗面加工されているので、この領域２１の表面粗さは実用的な範囲内において０．８ａ程度よりも粗い。
【００１６】
しかし、領域２１に対する粗面加工が過少であるために領域２１の表面粗さが０．８ａを僅かに超える程度の値でしかなければ、患者の受ける装着感は従来の鼻孔カニューラ１１と殆ど変わらない。逆に、領域２１に対する粗面加工が過多であるために領域２１の表面粗さがあまりに粗くても、顔面に対して領域２１がさらさらし過ぎて、装着状態で鼻孔カニューラ１１が顔面に馴染んでいないという感覚を患者が受ける。
【００１７】
このため、領域２１の表面粗さとしては、６．３ａ〜１２．５ａつまり中心線平均粗さで表して６．３〜１２．５μｍであることが好ましい。領域２１の表面粗さがこの範囲内であれば、顔面に対する快適なさらさら感を領域２１が有している。以上の点を除いて、本形態の鼻孔カニューラ１１も、上述の従来の鼻孔カニューラ１１と実質的に同様の構成を有している。
【００１８】
なお、本形態の鼻孔カニューラ１１では、上述の様に、外表面のうちで「へ」の字の劣角側の半分の領域２１が粗面加工されている。しかし、患者の顔面に対する鼻孔カニューラ１１の感触が問題にされているので、必ずしも外表面の半分の領域２１が粗面加工されている必要はなく、少なくとも顔面との接触領域さえ粗面加工されていればよい。従って、例えば、偏平な角筒状である中央部１２のうちの天面部分及び底面部分や、円筒状である端部１３のうちで領域２２から最も遠い母線部分とその両側の近傍部分とを除く部分は、粗面加工されていなくてもよい。
【００１９】
また、鼻孔カニューラ１１を製造するための材料も、生体適合性がよく且つ難燃性等の性質を有する軟質の材料であれば、可塑剤を添加したポリ塩化ビニルやスチレン系エラストマーやシリコーンゴム以外の材料であってもよい。また、鼻孔カニューラ１１は型成型以外の方法、例えばディッピング成型等で形成されてもよい。
【００２０】
更に、領域２１に対する粗面加工もショットブラストやエアーブラスト以外の方法、例えば化学薬品によるエッチング等で行われてもよい。なお、ショットブラストやエアーブラストや化学薬品によるエッチング等によって鼻孔カニューラ１１のうちの所望の領域にのみ粗面加工を施すためには、粗面加工を施さない領域をマスキングテープで被覆した状態で粗面加工を行う。
【産業上の利用可能性】
【００２１】
本考案は、呼吸療法のための医療用具であって、患者の顔面に対する快適な感触を接触領域に生じさせることができて、良好な装着感を患者に与えることができる、鼻孔カニューラの提供に利用することができる。
【図面の簡単な説明】
【００２２】
【図１】本考案を実施するための一形態の拡大平面図であって、図２に対応する図面である。
【図２】本考案の従来の一形態の拡大平面図であって、図１に対応する図面である。
【図３】本考案の従来の一形態の拡大正面図である。
【図４】顔面への装着状態における、本考案の従来の一形態の正面図である。
【符号の説明】
【００２３】
１１    鼻孔カニューラ
１４    突出部
２１    領域（第一の領域）
２２    領域（第二の領域）
【図１】
0003133934.tif 000003
【図２】
0003133934.tif 000004
【図３】
0003133934.tif 000005
【図４】
0003133934.tif 000006